(57)【特許請求の範囲】
【請求項１】
ケースと、
前記ケースの上面に形成され、試験紙を設置するための試験紙設置溝と、
前記ケースの上面に形成され、前記試験紙設置溝の延長線上につながり、サンプル液を溜めるための第１の凹部と、
前記ケースの上面に形成され、前記試験紙設置溝と前記第１の凹部との間に形成された第２の凹部とを備え、
前記試験紙設置溝の底面は、前記ケースの下面と所定の角度をなして、前記第１の凹部に向かって傾斜し、前記第１の凹部の底面は、前記試験紙設置溝に設置された試験紙の先端を、前記第１の凹部の底面まで沿わせるためのガイド面を有することを特徴とする試験紙測定容器。
【請求項２】
前記所定の角度は、５度〜２０度である請求項１記載の試験紙測定容器。
【請求項３】
前記ガイド面は、前記試験紙設置溝の底面と滑らかにつながった平面を形成している請求項１記載の試験紙測定容器。
【請求項４】
前記ケースは前記第１の凹部を覆うための蓋部をさらに備え、
前記蓋部は、前記試験紙設置溝に設置された試験紙の先端を、前記第１の凹部の底面に対して押さえつけるための押さえ片を有する請求項１記載の試験紙測定容器。
【請求項５】
前記試験紙設置溝は、試験紙を上から設置できるように、上に開いて形成されている請求項１記載の試験紙測定容器。
【発明の詳細な説明】
【技術分野】
【０００１】
本発明は、サンプルに含まれる抗体の濃度を検出するための試験紙測定容器に関するものである。
【背景技術】
【０００２】
一般に、胃潰瘍、胃炎の原因として、ヘリコバクタピロリー（ＨＰ）と言われているバクテリアが存在することが知られている。
患者の胃の中にＨＰが存在すれば、抗生物質の投与による除菌治療を行う必要がある。したがって、患者にＨＰが存在するか否かを確認することが重要である。
ＨＰ感染の診断方法としては、血液中のＨＰに対する抗体を検出する方法（抗体検出法）が知られている。抗体検出法は、その簡便性や経済性のために広く用いられている。
【０００３】
近年、血液中のＨＰ抗体に代わり、尿中に存在するＨＰ抗体を検出することにより、ＨＰへの感染診断が可能であることが知られている。
この尿中のＨＰ抗体を検出するため、試験紙を尿に浸し、その色の変化を測定して陽性、陰性などを判定する試験紙測定方法が知られている。
この測定方法は、細長い試験紙を内蔵したケースのサンプル液窓に、サンプル液希釈液で希釈した尿サンプル液を滴下する。尿サンプル液は毛管現象により試験紙を横に移動していき、試験紙上に配置された固相化したＨＰ抗原と反応して捕捉され、色を呈する（下記特許文献１，２参照）。
【０００４】
このような試験紙測定方法は、尿中に存在するＨＰ抗体を検出するだけでなく、一般に、サンプル液（全血・血漿・血清等の血液や尿、唾液、関節液、骨髄液等の体液、さらには便、喀痰、咽頭や鼻腔の拭い液、肺洗浄液が想定される）中に含有される特異抗原や、特異抗体を捕捉するために用いられる。
この捕捉のためには、（１）ニトロセルロース、プラスティック、濾紙等の担体に、抗体や抗原を固相化する。（２）固相化された抗体や抗原に捕捉された抗原や抗体を、金コロイドや着色ラテックスにより標識した抗体や抗原でサンドイッチ（免疫複合体形成）する。なお形成される免疫複合体の構造には、（固相抗体：サンプル液中抗原：標識抗体）、（固相抗原：サンプル液中抗体：標識抗体）、（固相抗原：サンプル液中抗体：標識抗原）が考えられる。（３）サンドイッチが形成された部分では金コロイドや着色ラテックスにより着色する。このような仕組みにより、目視または機器により判定が可能となる。
【０００５】
このような試験紙測定方法を、「イムノクロマト測定法」とも言う。
イムノクロマト測定法を実施する測定系は大きく二つに分類される。
一つは、図１２、図１３に示すように、プラスティックや紙でできたケース１０１に、試験紙１０２が内蔵されたもので、ケース上に設けられた窓１０３にサンプル液を滴下して測定を行う。下記特許文献１，２に記載されている測定系もこのタイプである。本系の特徴としては、一度サンプル液をアプライすれば、試験者は、その後汚染した内容物に触れる心配がない点があげられる。
【０００６】
他の一つは、図１４、図１５に示すように、スティック状の試験紙２０１を試験管等の容器２０２に垂直に入れて、サンプル液を試験紙に吸い上げさせて測定を行うものである。この測定系では、垂直に立てた容器２０２内で測定可能であるため、多数のサンプル液を測定するときに場所を要しない等の実施上のメリットが考えられる。
しかし、垂直に立てた容器２０２内で測定する場合、測定に用いた容器２０２の構造によってはライン部分が隠れてしまい、目視による判定結果が困難となり、スティック状の試験紙２０１を容器２０２からとり出して確認する状況が発生する。スティック状の試験紙２０１にはサンプル液が染みこんでいるために試験者は直接触れてしまう可能性が高い。患者に結果を提示する際も同様の危険がある。
【０００７】
そこで、最近では、汚染防止の観点から、ケースを使用した測定系が主流である。
【特許文献１】特開平11-295311号公報
【特許文献２】国際公開ＷＯ 01/57502 A1号パンフレット
【発明の開示】
【発明が解決しようとする課題】
【０００８】
前記ケースを使用する系を採用した場合、下記の問題点が指摘されていた。
（１）試験紙の目詰まり：前述の尿中に存在するＨＰ抗体を、ケースを使用する系で実施した場合、尿中に存在する微少な沈査が試験紙上に堆積し、日詰まりを起こすケースが報告されていた。
ケースを使用した測定系で目詰まりを起こす大きな理由として以下の点が考えられる。
【０００９】
(1-1)ポアサイズの小さな試験紙にサンプル液をアプライしたこと、
(1-2)サンプル液のアプライはケース上の直径５ｍｍ程度の小さなサンプル液窓（図１３の“１０４”）に対して行ったこと、
(1-3)試験紙の上部からサンプル液を滴下したこと、
以上の３つの要因から、尿中の沈査が小さなサンプル液窓上に堆積し、ポアサイズの小さな試験紙を目詰まりさせたと考えられる。
【００１０】
前記（１）の課題は、試験紙とサンプル液との接触面を広くし、かつポアサイズの大きな試験紙を使用することで解決できると考えられが、ケースを使用した測定系では、サンプル液窓上にサンプル液を滴下するため、重力の影響で滴下したサンプル液が一気にケース内の試験紙に流れ込み、かつ試験紙内を短時間で大量に移動するため測定が成り立たないことがある。
【００１１】
（２）組み立ての困難さ：ケースを使用した測定系では、図１６に示すように、ケース内部に短冊状の試験紙１０２を所定位置に納め、ケース１０１の上下の蓋を閉じる作業が必須となる。ユーザにこの組み立て作業を強いることは困難であり、あらかじめケース内にパッケージした製品形態が求められる。しかし、製造工程で、ケース内部に短冊状のスティックを所定位置に納めて、ケースを閉じる作業は複雑でありコストもかかる。
【００１２】
そこで、試験紙の目詰まりが起こりにくく、ユーザが簡単かつ迅速にケースの定位置に試験紙を納められる試験紙測定容器の開発が望まれている。
【課題を解決するための手段】
【００１３】
そこで、本発明者は、ポアサイズの大きな試験紙を、ケースの所定箇所にほぼ水平に設置し、水平方向または斜め水平方向に吸い上げることのできる試験紙測定容器の構造を発明した。
本発明の試験紙測定容器は、細長いケースを使用し、前記ケースの上面に、試験紙を設置するための試験紙設置溝と、前記試験紙設置溝の延長線上につながり、サンプル液を溜めるための第１の凹部と、前記試験紙設置溝と前記第１の凹部との間に形成され、ケースと試験紙との隙間を伝わるサンプル液を滴下させるための第２の凹部とを形成している。
【００１４】
試験者は、特に複雑な操作や力を必要とせず、前記ケースに形成された試験紙設置溝に、試験紙を設置する、あるいは試験紙を試験紙設置溝に沿って滑り込ませるだけで、試験紙をケースに設置することができる。試験紙への検体の吸収がスムーズに行われ、目視も容易となる。また、サンプル液が試験紙とケースの隙間を流れても、前記第２の凹部に入るようになっているので、試験者が汚染されることは少ない。
【００１５】
この試験紙測定容器を用いた測定方法は次のようになる。まずケース上面の試験紙設置溝にポアサイズの大きな試験紙を設置する。このとき、試験紙の先端部が第１の凹部に収納されるようにする。なお「ポアサイズの大きな試験紙」とは、サンプル液を垂直に吸い上げて測定することができる試験紙であって、ポアサイズが比較的大きくサンプル液を吸い上げやすくなっている。次に第１の凹部にサンプル液を滴下し、試験紙を用いてサンプル液を吸い上げさせる。これにより、試験者は、試験紙に直接触れることなく測定結果を目視で容易に判定することができる。また、患者への測定結果の提示はケース部分を持って行えばよい。試験者は試験紙に触れることなく測定を行うことができるため、感染や汚染を過度に気にする必要はない。
【００１６】
前記試験紙設置溝の底面は、前記ケースの下面と所定の角度をなして、前記第１の凹部に向かって傾斜している。この傾斜している試験紙設置溝に沿って試験紙を設置すれば、試験紙の先端部は、第１の凹部に突っ込まれるので、第１の凹部にサンプル液を滴下させれば、サンプル液は自動的に吸い取られる。
前記第１の凹部の底面は、前記試験紙設置溝に設置された試験紙の先端を沿わせるためのガイド面を有する。このガイド面があれば、傾斜している試験紙設置溝に沿って設置された試験紙の先端部は、第１の凹部に入りやすくなる。
【００１７】
前記ケースは前記第１の凹部を覆うための蓋部をさらに備え、前記蓋部は、前記試験紙設置溝に設置された試験紙の先端を、前記第１の凹部の底面に対して押さえつけるための押さえ片を有する構造であっても良い。この蓋の構造により、蓋を閉じたときに、前記試験紙設置溝に設置された試験紙の先端を、前記第１の凹部の底面に対して押さえつけることができるので、特に試験紙設置溝を傾斜させる構造をとらなくても、試験紙の先端を、前記第１の凹部のサンプル液に漬けることができる。
【００１８】
前記試験紙設置溝は、試験紙を上から容易に設置し、目視できるように、上に開いて形成されていることが好ましい。
【発明の効果】
【００１９】
以上のように本発明によれば、サンプル液と広い接触面積を有するポアサイズの大きな試験紙を用いてサンプル液を水平方向または斜め水平方向から吸い上げさせる構造を採用したので、試験者は、複雑な操作や力を必要とせず、ケース上面に形成された上に開いた試験紙設置溝に、試験紙を設置する、あるいは試験紙を試験紙設置溝に沿って滑り込ませるだけで、試験紙をケースに設置することができる。また、サンプル液が試験紙とケースの隙間を流れても、第２の凹部に入るようになっているので、試験者が汚染されることは少ない。
【００２０】
よって、試験紙をケースに組み込んだ形で製造する必要がなく、製造コストの低減が達成できる。
【発明を実施するための最良の形態】
【００２１】
以下、本発明の実施の形態を、添付図面を参照しながら詳細に説明する。
図１は、本発明の第１の実施形態に係る試験紙測定容器を示す平面図であり、図２は側断面図である。また図３は試験紙測定容器の全体を示す斜視図である。
試験紙測定容器は、細長いケース２と、ケース２の上面に形成され試験紙を設置するための試験紙設置溝３と、ケース２の上面に形成され試験紙設置溝３の延長線上につながり、サンプル液を溜めるための第１の凹部４と、試験紙設置溝３と第１の凹部４との間に形成された第２の凹部５とを備えている。
【００２２】
ケース２全体は合成樹脂で形成され、折りたたみできる蓋部６と、第１の凹部４及び第２の凹部５が形成された中間部２ｉと、試験紙設置溝３が形成された試験紙設置部２ｊとに区分することができる。
試験紙設置部２ｊの両側部には、背が高く盛り上がった壁７があり、これらの盛り上がった壁７の中間に、試験紙設置溝３が形成されている。試験紙設置溝３は、試験紙を上から設置できるように、上方に開いて形成されている。
【００２３】
試験紙設置溝３の幅ｗは、試験紙の幅ｅよりも広くなっていて、試験者が、複雑な操作や力を必要とせず、ケース２の上から試験紙を簡単に設置できるようになっている。試験紙設置溝３の幅ｗと試験紙の幅ｅとの差（ｗ−ｅ）は、具体的には、0.2〜3.0mmあればよく、望ましくは0.4〜2.0mmが好ましい。試験紙設置溝３の底面は、ほぼ平らな面になっており、ケース２の下面２ｋと所定の角度θをなして（図２参照）、第１の凹部４に向かって傾斜している。ケース２の下面２ｋは、通常水平に設置されるので、試験紙設置溝３の底面は、水平面から角度θをなして第１の凹部４に向かって傾斜していることになる。この角度θの好ましい範囲は、５度〜２０度、望ましくは８〜１２度である。θが５度よりも小さければ、試験紙の先端部が、第１の凹部４に滴下されたサンプル液に接触することが困難になる。θが２０度よりも大きければ、試験紙の先端部が第１の凹部４に当接するときに、試験紙が折れ曲がって変形するおそれがある。
【００２４】
中間部２ｉに形成された第１の凹部４は、サンプル液を溜めるための凹部である。第１の凹部４の底面のうち、試験紙設置溝３の延長上にある部分は、試験紙設置溝３に設置された試験紙の先端を沿わせるためガイド面４ａとなっている。この第１の凹部４の底面のガイド面４ａは、試験紙設置溝３の底面と滑らかにつながった平面を形成していることが好ましい。滑らかにつながった平面となっていれば、試験紙設置溝３に導入された試験紙の先端部がスムーズに第１の凹部４に収納されるからである。
【００２５】
試験紙設置溝３と第１の凹部４との間に形成された第２の凹部５は、試験紙設置溝３にセットされた試験紙とケース２との隙間を伝わって上昇して行くサンプル液をトラップするための凹部である。この第２の凹部５の設置位置は、第２の凹部５とガイド面４ａの先端との距離をｙとすると、ｙは８〜20mm、望ましくは12〜18mmである。また、この第２の凹部５の試験紙導入方向に沿った幅ｘは２〜８ｍｍ、望ましくは３〜６ｍｍがよい。
【００２６】
中間部２ｉと蓋部６との間は、樹脂の肉厚が薄くなっていて、この薄肉の部分を折り返して蓋部６を折りたたむことが出来る。蓋部６の中央には、第１の凹部４にサンプル液を滴下し、溜められたサンプル液に試験紙が接触しているかどうかを目視することができる開口部８が設けられている。蓋部６の先端には、蓋部６を折りたたんだときに中間部２ｉに形成された小孔９に係合する突起１０が設けられている。
【００２７】
図４は、この試験紙測定容器の使用状態を示す断面図である。試験紙設置溝３に試験紙Ｔを設置してその先端部が第１の凹部４に入るようにする。蓋部６を折りたたんだ状態で、開口部８からサンプル液Ｓを滴下する。サンプル液Ｓは、第１の凹部４に溜まるとともに、試験紙Ｔの先端部に接触して、斜め上方向に吸い上げられていく。このとき毛管現象によって試験紙設置溝３の上面と試験紙Ｔの下面との間を伝わって昇って行くサンプル液Ｓは、第２の凹部５でトラップされて、第２の凹部５にたまっていく。従って、サンプル液Ｓがケース２の試験紙設置部２ｊに付着するおそれは少なくなり、試験者がケース２を触っても、試験者の指がサンプル液Ｓに触れる可能性は低くなる。
【００２８】
図５は、本発明の第２の実施形態に係る試験紙測定容器を示す平面図であり、図６は側断面図である。また図７は試験紙測定容器の全体を示す斜視図である。
試験紙測定容器は、細長いケース２と、ケース２の上面に形成された２つの側壁７と、これらの側壁７間に形作られた、試験紙を設置するための試験紙設置溝３と、ケース２の上面に形成され試験紙設置溝３の延長線上につながり、サンプル液Ｓを溜めるための第１の凹部４と、試験紙設置溝３と第１の凹部４との間に形成された第２の凹部５とを備えている。
【００２９】
ケース２全体は合成樹脂で形成され、折りたたみできる蓋部６と、第１の凹部４及び第２の凹部５が形成された中間部２ｉと、試験紙を設置するための試験紙設置溝３が形成された試験紙設置部２ｊとに区分することができる。
試験紙設置部２ｊに形成された試験紙設置溝３は、試験紙を上から設置できるように、上方に開いて形成されている。試験紙設置溝３の幅ｗは、試験紙の幅ｅよりも広くなっていて、試験者が複雑な操作や力を必要とせず、ケース２の上から試験紙を簡単に設置できるようになっている。試験紙設置溝３の幅ｗと試験紙の幅ｅとの差（ｗ−ｅ）は、具体的には、0.2〜3.0mmあればよく、0.4〜2.0mmが望ましい。
【００３０】
中間部２ｉに形成された第１の凹部４は、滴下されるサンプル液Ｓを溜めるために形成された凹部である。第１の凹部４の底面の一部には、試験紙設置溝３に設置された試験紙Ｔの先端を沿わせるための、第１の凹部４の底面よりもさらに深いガイド面４ｂが形成されている。このガイド面４ｂの底面は、側断面視したとき、直線となっている（図６、図８参照）。
【００３１】
中間部２ｉに形成された第２の凹部５は、試験紙設置溝３にセットした試験紙と試験紙設置溝３との隙間を上昇していくサンプル液Ｓをトラップするための凹部である。この第２の凹部５の設置位置は、第２の凹部５とガイド面４ｂの先端との距離をｙとすると、ｙは８〜20mm、望ましくは12〜18mmである。また、この第２の凹部５の試験紙導入方向に沿った幅ｘは２〜８ｍｍ、望ましくは３〜６ｍｍである。
【００３２】
これらの第１の凹部４の周辺にある面、第２の凹部５の周辺にある面と、試験紙設置溝３とは、同一平面をなしている。この平面を“２ｕ”で表す。平面２ｕは、ケース２の下面２ｋと平行である。従ってこのケース２を水平な台に設置したとき、この平面２ｕも水平面となる。
中間部２ｉと蓋部６との間は、樹脂の肉厚が薄くなっていて、この薄肉の部分を折り返して蓋部６を折りたたむことが出来る。蓋部６は中間部２ｉからつながる２つの片６ａ，６ｂによって形成される。各片６ａ，６ｂの間に存在する空間は、第１の凹部４にサンプル液Ｓを滴下することができる開口部８となっている。この開口部８を通して、溜められたサンプル液Ｓに試験紙Ｔが接触しているかどうかを目視することができる。また、各片６ａ，６ｂには、蓋部６を折りたたんだときに、中間部２ｉに形成された小孔９に係合する突起１０が設けられている。
【００３３】
また、各片６ａ，６ｂには、蓋部６の先端からこの開口部８の中心部に向かって折り返された折り返し片１２ａ，１２ｂが形成されている。折り返し片１２ａ，１２ｂには、試験紙設置溝３に設置された試験紙の先端を、第１の凹部４のガイド面４ｂに対して押さえつけるための押さえ片１１ａ，１１ｂが立設されている。押さえ片１１ａ，１１ｂの形状は、第１の凹部４のガイド面４ｂに対応した形状となっている。押さえ片１１ａと押さえ片１１ｂとの距離を“ｖ”で表している。この距離ｖは、試験紙の幅ｅよりも狭くなっていることが好ましい。試験紙の幅ｅと試験紙設置溝３の幅ｖとの差（ｅ−ｗ）は、具体的には、0.2〜3.0mmあればよく、0.4〜2.0mmが望ましい。
【００３４】
図８は、試験紙測定容器の使用状態を示す断面図である。試験紙設置溝３に試験紙Ｔを設置して、その先端部が平面視して第１の凹部４の上にかかるようにする。この状態で蓋部６を折りたたむと、蓋部６の押さえ片１１ａ，１１ｂが試験紙Ｔの先端部を押さえつけて、試験紙Ｔの先端部を、第１の凹部４の底面に形成されたガイド面４ｂに押さえつける。この押さえ付けによって、試験紙Ｔの先端部は下方向に曲げられる。その後、開口部８から第１の凹部４にサンプル液Ｓを滴下すると、試験紙Ｔの先端部はサンプル液Ｓに接触して、サンプル液Ｓを吸い上げていく。このとき毛管現象によって、試験紙設置溝３の上面と試験紙Ｔの下面との間を伝わって昇って行くサンプル液Ｓは、第２の凹部５でトラップされて、第２の凹部５にたまっていく。従って、サンプル液Ｓがケース２に付着することは少なくなり、試験者がケース２を触っても、試験者の指がサンプル液Ｓに触れる可能性は低くなる。
【００３５】
次に、本発明の試験紙測定容器に用いる試験紙Ｔの構造を図９に示す。この試験紙Ｔは、細長いプラスティックの台紙に、サンプル液をアプライするためのサンプル液吸い上げパッド２２と、サンプル液吸い上げパッド２２につながる、抗体や抗原が塗布されたニトロセルロースメンブラン２３と、ニトロセルロースメンブラン２３につながる、サンプル液を吸収保持するサンプル液吸収パッド２４とが貼り付けられている。さらに、サンプル液吸い上げパッド２２上には、金コロイド標識抗体を乾燥保持させた金コロイド標識抗体パッド２５が付着している。さらに使用時、各部材が破壊されるのを防止するために、全面にラミネートシール２６が貼り付けられている。ニトロセルロースメンブラン２３には、測定終了時にテストライン２３ａとコントロールライン２３ｂの２本のライン若しくはコントロールライン２３ｂの１本のみ出現するように設計、製作されている。このテストライン２３ａの出現を目視にて確認することによってサンプル中に抗体が存在すると判断することができる。コントロールライン２３ｂの出現は、測定が成立したことを意味しており、コントロールライン２３ｂが出現しなかつた場合は、その測定に何か問題が発生したということで再測定が必要と判断される。
【００３６】
サンプル液吸い上げパッド２２には、尿沈査などがあっても目詰まりをおこさないボアサイズの大きい材料を選択した。サンプル液吸い上げパッド２２は、ポアサイズが1〜30μｍ、望ましくは10〜20μｍのガラス繊維又は紙である。サンプル液吸い上げパッド２２の厚さは0.1〜3.0mm、望ましくは0.2〜1.5mmとする。
また、サンプル液吸収パッド２４は水の吸収量が10〜300mg/cm2、望ましくは20〜200mg/cm2のガラス繊維又は紙である。サンプル液吸収パッド２４の厚さは0.1〜3.0mm、望ましくは0.2〜1.5mmがよい。
【００３７】
このように、サンプル液の展開時に目詰まりを起こさせないように、サンプル液吸い上げパッド２２やサンプル液吸収パッド２４のポアサイズを大きくした結果、尿中の沈査に対して目詰まりを起こさず、また喀痰抽出液もサンプル液として使用できる試験紙Ｔを提供することができる。
なお従来、粘性サンプル液や不溶性サンプル液をアプライする前に、濾過用フィルター（図示せず）によりサンプル液を濾過し、その濾過したサンプル液を試験紙Ｔにアプライする「前処理」が必要であったが、今回選択した材料の試験紙Ｔにおいては、粘性の極めて高い喀痰および、微粒子の存在する尿でも展開可能であるため、サンプル液をアプライする前の濾過操作を必要としない。
【００３８】
金コロイド標識抗体パッド２５は厚さ0.1〜1.5mm、望ましくは0.3〜0.８ｍｍのガラス繊維又は紙である。その設置場所はサンプル液吸い上げパッド２２上である。金コロイド標識抗体パッド２５の長さｔは約１０ｍｍ、金コロイド標識抗体パッド２５から試験紙Ｔの吸い上げ端Ｔａまでの距離ｚは、４〜１８ｍｍ、好ましくは６〜１５ｍｍである。
金コロイド標識抗体パッド２５をサンプル液吸い上げパッド２２上に配置した理由は次のとおりである。従来の図１２、図１３に示したケースを使用する測定系に用いるポアサイズの小さなタイプの試験紙では、金コロイド標識抗体パッド２５は、図１１に示されるように、サンプル液吸い上げパッド２２とニトロセルロースメンブラン２３との間に挿入されていた。
【００３９】
ところが本発明の試験紙Ｔの構造では、サンプル液の展開時に目詰まりを起こさせないように、サンプル液吸い上げパッド２２やサンプル液吸収パッド２４のポアサイズを大きくしている。この結果、サンプル液の流量が大きいために、図１１の構造では、金コロイド標識抗体パッド２５に保持された金コロイド標識抗体は一気に流れ去り、抗体検出感度が低下するおそれがある。
【００４０】
そこで、金コロイド標識抗体パッド２５に乾燥保持された大量の金コロイド標識抗体を徐々に溶解し、流すために、本発明の実施形態では、図１０に示すように、金コロイド標識抗体パッド２５を、サンプル液吸い上げパッド２２上に配置することとした。これにより、金コロイド標識抗体は、サンプル液の流れに応じて徐々に溶解され、ニトロセルロースメンブラン２３に向かって流れて行く。従来の構造（図１１）のように一気に流れ去ることはない。したがって、抗体検出感度を適切な値に維持することができる。
【００４１】
前記構造の試験紙Ｔの使用により、測定操作前のサンプル液の濾過操作を不要とし、目詰まり無く生体成分を測定できることが可能となった。
以上で、本発明の実施の形態を説明したが、本発明の実施は、前記記載に限定されるものではなく、本発明の範囲内で種々の変更を施すことが可能である。
【図面の簡単な説明】
【００４２】
【図１】本発明の第１の実施形態に係る試験紙測定容器を示す平面図である。
【図２】試験紙測定容器を示す側断面図である。
【図３】試験紙測定容器の全体を示す斜視図である。
【図４】試験紙測定容器の使用状態を示す拡大断面図である。
【図５】本発明の第２の実施形態に係る試験紙測定容器を示す平面図である。
【図６】試験紙測定容器の側断面図である。
【図７】試験紙測定容器の全体を示す斜視図である。
【図８】試験紙測定容器の使用状態を示す拡大断面図である。
【図９】本発明の試験紙測定容器に用いる試験紙の構造を示す図である。
【図１０】試験紙の構造を示す一部拡大断面図である。
【図１１】従来の試験紙の構造を示す一部拡大断面図である。
【図１２】プラスティックや紙でできたケース１０１に、試験紙１０２が内蔵された従来の測定系を示す概略図である。
【図１３】ケース１０１上に設けられた窓１０３にサンプル液を滴下して測定を行う方法を説明する図である。
【図１４】従来のスティック状の試験紙の概観図である。
【図１５】スティック状の試験紙２０１を試験管等の容器２０２に垂直に入れて、サンプル液を試験紙に吸い上げさせて測定を行う状態を示す図である。
【図１６】ケース内部に短冊状の試験紙１０２を所定位置に納め、ケース１０１の上下の蓋を閉じる作業を示す説明図である。
【符号の説明】
【００４３】
２  ケース
２ｉ  中間部
２ｊ  試験紙設置部
２ｋ  下面
２ｕ  平面
３  試験紙設置溝
４  第１の凹部
４ａ，４ｂ  ガイド面
５  第２の凹部
６  蓋部６
７  壁
８  開口部
９  小孔
１０  突起
１２ａ，１２ｂ  折り返し片
１１ａ，１１ｂ  押さえ片
Ｓ  サンプル
Ｔ  試験紙
【図１】
0005249534.tif 000002
【図２】
0005249534.tif 000003
【図３】
0005249534.tif 000004
【図４】
0005249534.tif 000005
【図５】
0005249534.tif 000006
【図６】
0005249534.tif 000007
【図７】
0005249534.tif 000008
【図８】
0005249534.tif 000009
【図９】
0005249534.tif 000010
【図１０】
0005249534.tif 000011
【図１１】
0005249534.tif 000012
【図１２】
0005249534.tif 000013
【図１３】
0005249534.tif 000014
【図１４】
0005249534.tif 000015
【図１５】
0005249534.tif 000016
【図１６】
0005249534.tif 000017